(57)【特許請求の範囲】
【請求項１】
アームの操作によりトレモロ体を揺動させて弦の張力を変化させることによって、音程変化を得るように構成した弦楽器用トレモロ装置であって、
弦楽器のボディに対して揺動自在に取り付けられ、表面側に弦を支持する弦支持部材が配設されていると共に、裏面側にトレモロブロックが突設されたトレモロ体と、
該トレモロ体に取り付けられ、トレモロ体の揺動を操るためのアームと、
前記ボディの裏側に配設される裏機構ベースと、
前記裏機構ベース又はボディに設けられる位置決めストッパーと、
進退自在に構成されたスライドブロックと、
進退自在に構成され、前記スライドブロック及び位置決めストッパーに当接及び離間可能な可動ストッパーと、
前記トレモロブロックと前記スライドブロックとを連結する連結リンクと、
前記裏機構ベースと前記スライドブロックとの間に張設されてスライドブロックを前方へ付勢する第一スプリングと、
前記可動ストッパーと前記裏機構ベースとの間に張設されて可動ストッパーを前方に付勢する第二スプリングとを含み、
前記アームの非操作時には、ボディ表面側に張られた弦の張力と、前記第一スプリング及び第二スプリングの付勢力によって、スライドブロックと可動ストッパーと、及び可動ストッパーと位置決めストッパーとが互いに当接し、トレモロ体が平衡状態となるように構成され、
前記アームの操作によりトレモロ体を前方へ傾斜するように揺動させた時には、トレモロブロックが後方へ回動し、それに伴って連結リンクを介してスライドブロックと可動ストッパーが後方へスライド移動して、該可動ストッパーが位置決めストッパーから離間し、一方、前記アームの操作を解除した時には、第一スプリング及び第二スプリングの付勢力によって、スライドブロック及び可動ストッパーを、該可動ストッパーが位置決めストッパーに当接する元の位置に戻してトレモロ体を平衡状態に復元させるように構成され、
また、前記アームの操作によりトレモロ体を後方へ傾斜するように揺動させた時には、トレモロブロックが前方へ回動し、それに伴って連結リンクを介してスライドブロックが前方へスライド移動して、該スライドブロックが可動ストッパーから離間し、一方、前記アームの操作を解除した時には、弦の張力によって、スライドブロックを、可動ストッパーに当接する元の位置に戻してトレモロ体を平衡状態に復元させるように構成されている
ことを特徴とする弦楽器用トレモロ装置。
【請求項２】
裏機構ベースに設けられた第一軸受け部及び第二軸受け部間にスライド軸部が架設され、該スライド軸部に沿ってスライドブロック及び可動ストッパーが進退自在に構成されていると共に、前記裏機構ベースの第一軸受け部と第二軸受け部間に位置決めストッパーが設けられている請求項１に記載の弦楽器用トレモロ装置。
【請求項３】
可動ストッパーが、スライドブロックに当接及び離間可能な前部と、前記位置決めストッパーに当接及び離間可能な後部を有する請求項１又は２に記載の弦楽器用トレモロ装置。
【請求項４】
第二スプリングが、可動ストッパーの前部と第二軸受け部との間に張設されている請求項３に記載の弦楽器用トレモロ装置。
【請求項５】
第一スプリングが、裏機構ベースの前部に設けられた第一スプリング前側取付ブロックと前記スライドブロックに設けられた第一スプリング後側取付ブロックとの間に張設されている請求項１〜４の何れか一項に記載の弦楽器用トレモロ装置。
【請求項６】
トレモロブロックと連結リンクの回動支点が、トレモロ体の揺動軸の略直下に位置する請求項１〜５の何れか一項に記載の弦楽器用トレモロ装置。
【請求項７】
第一スプリング前側取付ブロックが裏機構ベースに対して位置調節可能に取り付けられている請求項５又は６に記載の弦楽器用トレモロ装置。
【請求項８】
スライドブロックと可動ストッパー間に緩衝部材が介在されている請求項１〜７の何れか一項に記載の弦楽器用トレモロ装置。
【請求項９】
可動ストッパーと位置決めストッパー間に緩衝部材が介在されている請求項１〜８の何れか一項に記載の弦楽器用トレモロ装置。
【請求項１０】
トレモロブロックとスライドブロックを連結する連結リンクが伸縮可能に構成されている請求項１〜９の何れか一項に記載の弦楽器用トレモロ装置。
【請求項１１】
第一スプリングの付勢力の作用方向と第二スプリングの付勢力の作用方向が何れも弦の張力方向とは反対方向となると共に、前記第一スプリングの付勢力が全弦張力よりも小さく、かつ第一スプリングの付勢力と第二スプリングの付勢力の和が全弦張力よりも大きい請求項１〜１０の何れか一項に記載の弦楽器用トレモロ装置。
【請求項１２】
スライドブロックと可動ストッパー間に係合及び係合解除可能な係合機構が設けられ、該係合機構によりスライドブロックと可動ストッパーとを係合させ、それによってスライドブロックの前方への移動を規制するように構成されている請求項１〜１１の何れか一項に記載の弦楽器用トレモロ装置。
【発明の詳細な説明】
【０００１】
【発明の属する技術分野】
本発明は、弦楽器用トレモロ装置に関する。
【０００２】
【従来の技術】
弦楽器用トレモロ装置は一般によく知られており、特にエレクトリックギターに広く使われている。トレモロ装置とは、弦楽器の全弦の張力を同時に増大、あるいは減少させて印象的な音効果を得るためのものである。従来のトレモロ装置としては、図１４に示すような、弦楽器（図ではギター）のボディＢに対して揺動自在に取り付けられ、表面側に弦Ｓを支持するブリッジサドル等の弦支持部材１３１が配設されていると共に、裏面側にトレモロブロック１３２が突設されたトレモロ体（ブリッジ）１３０と、該トレモロ体１３０の表面側に取り付けられてトレモロ体１３０の揺動を操るためのアーム１３５と、前記トレモロブロック１３２とボディＢ間に張架されて、ボディＢ表面側に張られた弦Ｓの張力との共働により前記トレモロ体１３０の平衡状態を保つためのスプリング１４０とを備えたものが一般的である。
【０００３】
上記構成のトレモロ装置１２０では、前記トレモロ体１３０は、全弦Ｓの張力とこれと逆方向に作用する前記スプリング１４０の付勢力が釣り合ったところで静止して平衡状態となるように構成され、前記アーム１３５を動かしてトレモロ体１３０を揺動させることによって、全弦Ｓの張力を増減させて、それにより各弦Ｓの音程が上昇又は下降し、一方、アーム１３５を離すことによりトレモロ体１３０が元の釣り合いの位置、つまり平衡状態位置に戻って、各弦Ｓの音程は元の音程に戻るのである。
【０００４】
しかしながら、現実には前記弦Ｓの張力とスプリング１４０の力によるトレモロ体１３０の釣り合い系は、非常に敏感な系であり、トレモロ体１３０の揺動支点における摩擦力の存在や、スプリング１４０の復元力の不完全さや、演奏中に演奏者の手がトレモロ体１３０やアーム１３５等に触れることや、演奏中のチョーキング（弦の曲げ）、フラッター（アーム１３５から急に手を離した時に生じる慣性力に起因する音のブレ）、弦Ｓの切断等が原因で、トレモロ体１３０の揺動後、トレモロ体１３０が元の平衡状態位置（中立点となる釣り合い状態位置）に完全に戻らずに、チューニングを狂わせることがある。また、もう一つの前記トレモロ装置１２０の大きな欠点としては、チューニングが非常に困難なことが挙げられる。これは一つの弦Ｓを目標の音程までチューニングするとき、例えばある弦Ｓの張力を増加させて音程を上げるとき、全弦Ｓの張力の和も増大して、トレモロ体１３０の平衡状態位置がネック方向（前方）に移動し、弦間距離（ナットからトレモロ体の弦支持部までの距離）が短くなって、他の弦Ｓの張力も下がり、その結果、他の弦Ｓの音程が下がることが原因である。また、ある弦Ｓの張力を下げるときは逆に他の弦Ｓの音程は上がってしまう。したがって、全ての弦Ｓを完全にチューニングすることは理論上不可能であり、それに近い域までもっていくのには非常な労力を要する。
【０００５】
さらに、各弦Ｓに対して、目標とする音程と弦の線密度、弦長の間には所定の関係式が成立し、上記従来構造のトレモロ装置１２０のように弦Ｓの端部の一方が動く構造ではスプリング１４０の強さによって、本来の弦楽器のスケール長以外でも、開放弦のチューニングにおいては、チューニングの合う中立点が無数に存在する。よって、トレモロ体１３０が設計上の平衡状態位置（中立点）より前側、若しくは後側で釣り合って平衡状態となった場合には、ネック上のフレットを押さえても本来の音程が出ないことになる。
【０００６】
上記したトレモロ装置１２０の欠点は、以前から大きな関心を集め、近年では、特開平１−９３７９３号や特公平２−４８１２０号等に記載の、弦の張力より強いスプリングを用いたトレモロ装置が多く提案されている。しかしながら、特開平１−９３７９３号等で見られるような機構では、弦の張力を増加させて音程を上げるときに、アーム操作において非常に強い力を要する等の問題があった。また、特公平２−４８１２０号等に記載のトレモロ装置においては、トレモロブロックと一つのスプリングが直接接続されているため、トレモロ体の揺動時にスプリングが傾いたり、伸縮方向以外の方向へ変形したりすることに起因して、スプリングの復元力に影響を及ぼすおそれがあった。また、当該トレモロ装置では、トレモロ体を静止するためのストッパーとトレモロ体の接触騒音が大きく、これを抑制するために両者の間にゴム等の緩衝部材を介在させる場合には、接触面積が小さいために緩衝部材の変形量が大きく、チューニングに狂いが生じやすい。さらには、このトレモロ装置にあっては、調整箇所が多く、調整すべき箇所及び調整方法が使用者にわかりづらいという欠点があった。
【０００７】
【発明が解決しようとする課題】
本発明は、このような状況に鑑みなされたもので、チューニングの狂いを最小限に抑えることができると共に、該チューニングを簡単かつ精度良く行うことができ、しかも、トレモロ体揺動時における接触騒音を低減でき、さらには調整箇所が少ない弦楽器用トレモロ装置を提供することを目的とする。
【０００８】
【課題を解決するための手段】
すなわち、請求項１の発明は、アームの操作によりトレモロ体を揺動させて弦の張力を変化させることによって、音程変化を得るように構成した弦楽器用トレモロ装置であって、弦楽器のボディに対して揺動自在に取り付けられ、表面側に弦を支持する弦支持部材が配設されていると共に、裏面側にトレモロブロックが突設されたトレモロ体と、該トレモロ体に取り付けられ、トレモロ体の揺動を操るためのアームと、前記ボディの裏側に配設される裏機構ベースと、前記裏機構ベース又はボディに設けられる位置決めストッパーと、進退自在に構成されたスライドブロックと、進退自在に構成され、前記スライドブロック及び位置決めストッパーに当接及び離間可能な可動ストッパーと、前記トレモロブロックと前記スライドブロックとを連結する連結リンクと、前記裏機構ベースと前記スライドブロックとの間に張設されてスライドブロックを前方へ付勢する第一スプリングと、前記可動ストッパーと前記裏機構ベースとの間に張設されて可動ストッパーを前方に付勢する第二スプリングとを含み、前記アームの非操作時には、ボディ表面側に張られた弦の張力と、前記第一スプリング及び第二スプリングの付勢力によって、スライドブロックと可動ストッパーと、及び可動ストッパーと位置決めストッパーとが互いに当接し、トレモロ体が平衡状態となるように構成され、前記アームの操作によりトレモロ体を前方へ傾斜するように揺動させた時には、トレモロブロックが後方へ回動し、それに伴って連結リンクを介してスライドブロックと可動ストッパーが後方へスライド移動して、該可動ストッパーが位置決めストッパーから離間し、一方、前記アームの操作を解除した時には、第一スプリング及び第二スプリングの付勢力によって、スライドブロック及び可動ストッパーを、該可動ストッパーが位置決めストッパーに当接する元の位置に戻してトレモロ体を平衡状態に復元させるように構成され、また、前記アームの操作によりトレモロ体を後方へ傾斜するように揺動させた時には、トレモロブロックが前方へ回動し、それに伴って連結リンクを介してスライドブロックが前方へスライド移動して、該スライドブロックが可動ストッパーから離間し、一方、前記アームの操作を解除した時には、弦の張力によって、スライドブロックを、可動ストッパーに当接する元の位置に戻してトレモロ体を平衡状態に復元させるように構成されていることを特徴とする弦楽器用トレモロ装置に係る。
【０００９】
請求項２の発明は、請求項１において、裏機構ベースに設けられた第一軸受け部及び第二軸受け部間にスライド軸部が架設され、該スライド軸部に沿ってスライドブロック及び可動ストッパーが進退自在に構成されていると共に、前記裏機構ベースの第一軸受け部と第二軸受け部間に位置決めストッパーが設けられていることを特徴とする。
【００１０】
請求項３の発明は、請求項１又は２において、可動ストッパーが、スライドブロックに当接及び離間可能な前部と、前記位置決めストッパーに当接及び離間可能な後部を有することを特徴とする。
【００１１】
請求項４の発明は、請求項３において、第二スプリングが、可動ストッパーの前部と第二軸受け部との間に張設されていることを特徴とする。
【００１２】
請求項５の発明は、請求項１〜４の何れか一項において、第一スプリングが、裏機構ベースの前部に設けられた第一スプリング前側取付ブロックと前記スライドブロックに設けられた第一スプリング後側取付ブロックとの間に張設されていることを特徴とする。
【００１３】
請求項６の発明は、請求項１〜５の何れか一項において、トレモロブロックと連結リンクの回動支点が、トレモロ体の揺動軸の略直下に位置することを特徴とする。
【００１４】
請求項７の発明は、請求項５又は６において、第一スプリング前側取付ブロックが裏機構ベースに対して位置調節可能に取り付けられていることを特徴とする。
【００１５】
請求項８の発明は、請求項１〜７の何れか一項において、スライドブロックと可動ストッパー間に緩衝部材が介在されていることを特徴とする。
【００１６】
請求項９の発明は、請求項１〜８の何れか一項において、可動ストッパーと位置決めストッパー間に緩衝部材が介在されていることを特徴とする。
【００１７】
請求項１０の発明は、請求項１〜９の何れか一項において、トレモロブロックとスライドブロックを連結する連結リンクが伸縮可能に構成されていることを特徴とする。
【００１８】
請求項１１の発明は、請求項１〜１０の何れか一項において、第一スプリングの付勢力の作用方向と第二スプリングの付勢力の作用方向が何れも弦の張力方向とは反対方向となると共に、前記第一スプリングの付勢力が全弦張力よりも小さく、かつ第一スプリングの付勢力と第二スプリングの付勢力の和が全弦張力よりも大きいことを特徴とする。
【００１９】
請求項１２の発明は、請求項１〜１１の何れか一項において、スライドブロックと可動ストッパー間に係合及び係合解除可能な係合機構が設けられ、該係合機構によりスライドブロックと可動ストッパーとを係合させ、それによってスライドブロックの前方への移動を規制するように構成されていることを特徴とする。
【００２０】
【発明の実施の形態】
以下添付の図面に従って本発明を詳細に説明する。
図１は本発明の一実施例に係る弦楽器用トレモロ装置を備えたエレクトリックギターの斜視図、図２は同実施例の弦楽器用トレモロ装置及びその周辺を示す正面図、図３は一部の部材を取り除いた弦楽器用トレモロ装置及びその周辺を示す断面図、図４は同実施例の弦楽器用トレモロ装置の裏機構を示す裏面図、図５は図３の５−５断面図、図６は図４の６−６断面図、図７は音程下降時における一部の部材を取り除いた弦楽器用トレモロ装置及びその周辺を示す断面図、図８は音程下降時における弦楽器用トレモロ装置の裏機構を示す裏面図、図９は音程上昇時における一部の部材を取り除いた弦楽器用トレモロ装置及びその周辺を示す断面図、図１０は音程上昇時における弦楽器用トレモロ装置の裏機構を示す裏面図である。また、図１１は他の実施例に係る弦楽器用トレモロ装置の要部を示す図であり、（Ａ）は弦楽器用トレモロ装置の裏機構の部分裏面図、（Ｂ）は同裏機構の部分側面図である。また、図１２はさらに他の実施例に係る一部の部材を取り除いた弦楽器用トレモロ装置及びその周辺を示す断面図、図１３は同実施例の弦楽器用トレモロ装置の裏機構を示す裏面図である。
【００２１】
図１に示す弦楽器、ここではエレクトリックギターＧは、本発明の一実施例に係るもので、ネックＮとボディＢを有している。前記ネックＮの前端にはヘッドＨが設けられ、該ヘッドＨ部分で各弦Ｓの一端が弦柱Ｎｂにより保持固定されている。また、前記ボディＢには、調弦装置及び音程変化装置としてブリッジを構成するトレモロ装置１が取り付けられ、該トレモロ装置１部分で各弦Ｓの一端（前記ヘッドＨ側とは反対側の端）が保持固定されている。なお、図の符号ＮａはネックＮ前端側に設けられて各弦のヘッド側端を支持するナットであり、また符号Ｎｃは前記弦柱Ｎｂと連結され、チューニング（調弦）を行うための糸巻き装置である。
【００２２】
前記トレモロ装置１は、図２〜図６から理解されるように、トレモロ体１０と、該トレモロ体１０に取り外し自在に取り付けられてトレモロ体１０の揺動を操るためのアーム５０と、前記トレモロ体１０の揺動後に該トレモロ体１０を平衡状態位置（釣り合い状態となる中立位置）に復元（復帰）させるトレモロ体復元機構を構成する裏機構６０とを備えている。なお、図示の例では、前記裏機構６０は、ボディＢの裏面側に形成された凹部Ｂｂ内に配設されている。
【００２３】
前記トレモロ体１０は、この実施例では、ボディＢにその表面Ｂａに対して揺動自在となるように取り付けられたベースプレート１１と、該ベースプレート１１上に配置され、弦Ｓを支持する弦支持部材（ここではブリッジサドル）２０と、前記ベースプレート１１の裏面側に突設されたトレモロブロック４０を備えている。
【００２４】
この実施例では、前記ベースプレート１１上に各弦Ｓに対応してそれぞれ独立した複数（図では６つ）の弦支持部材２０が配置され、各弦Ｓ毎の音色調整が可能に構成されている。なお、図３はトレモロ演奏をしないトレモロ体の平衡状態時におけるトレモロ装置１及びその周辺を示す断面図、図４は同平衡状態時における裏機構を示す裏面図である。また、図３では、便宜のため、後述の第一スプリングを省略して図示している（図７，９についても同じ）。
【００２５】
この実施例における前記ベースプレート１１は、その前部（ネックＮ側部）の両端に形成されたナイフエッジ部１２，１２でスタッドボルトＢｓ，Ｂｓによって、揺動可能に固定されている。さらに、この実施例では、当該ベースプレート１１の略中央に開口溝１３が各弦支持部材２０の位置に合わせて複数形成されている。
【００２６】
実施例の各弦支持部材２０は、サドル保持部材２１とサドル本体２５と回動調節棒３１とを備えている。前記サドル保持部材２１は、前記ベースプレート１１上に前後調節可能に固定されている。前記サドル本体２５は、前記サドル保持部材２１に、弦の張設方向に直交する軸部２６を介して、前後方向に回動調節可能に軸支されている。このサドル本体２５は、その前部に曲面形状に形成された弦受け部２７を有している。また、後部には弦固定用凹部２８が形成され、該弦固定用凹部２８の内壁と弦固定ブロック２９とで弦Ｓの末端を挟むことにより弦Ｓを固定するようになっている。また、前記弦固定ブロック２９は、前記弦固定用凹部２８内へ螺入される後述の回動調節棒３１の先端部分で保持固定されるようになっている。
【００２７】
前記各サドル本体２５の後部には、該サドル本体２５の前後方向の回動調節を自在に操るための回動調節棒３１が、後方に向けて突設されている。当該回動調節棒３１は、前記ベースプレート１１の開口溝１３に挿通される。また、この回動調節棒３１に対応して、前記ベースプレート１１の裏面側には、前記各回動調節棒３１を常時サドル本体２５の前方回転方向に付勢する板バネ３５が設けられていると共に、ベースプレート１１の後部表面には、前記板バネ３５により付勢された各回動調節棒３１と接触し、その前進後退動（図では上下動）により前記各サドル本体２５を回動させて張弦を行う調節ねじ部材（ファインチューニングボルト）３６が設けられている。なお、前記調節ねじ部材３６を時計回りに回動させると、回動調節棒３１は下がり（後方回転方向に回動し）、これに連動してサドル本体２５が後方へ回動することによって、弦の張力（音程）が上がる。逆に、前記調節ねじ部材３６を反時計回りに回動させると、回動調節棒３１は上がり（前方回転方向に回動し）、これに連動してサドル本体２５が前方へ回動することによって、弦の張力（音程）が下がる。
【００２８】
なお、この実施例では、各弦支持部材２０は、サドル保持部材２１とサドル本体２５を有するロッキングタイプとされているが、勿論、本発明はこれに限定されず、各弦支持部材を一般的なノンロッキングタイプにしてもよい。さらに、実施例では、ベースプレート１１上に、複数の弦支持部材２０が各弦Ｓに対応してそれぞれ独立して配置され、各弦Ｓ毎の音色調整が可能となっているが、これに限定されることなく、１ピースタイプの弦支持部材をベースプレート上に設けるようにしてもよい。
【００２９】
また、前記ベースプレート１１の裏側に突設されるトレモロブロック４０は、ボディＢの表裏を連通する開口部Ｂｃ内に位置するように構成されている。このトレモロブロック４０の先端（自由端）両側には、後述する連結リンク８５，８５と回動自在に係合するリンク取付部（図では球状のリンク取付部）４１，４１が設けられている。
【００３０】
次に、トレモロ体復元機構を構成する裏機構６０について説明する。この裏機構６０は、実施例では、裏機構ベース６１と、第一軸受け部６２及び第二軸受け部６３と、スライド軸部７０と、位置決めストッパー７１，７１と、スライドブロック７５と、可動ストッパー８０と、連結リンク８５，８５と、第一スプリング９０，９０と、第二スプリング９５とを含んでいる。
【００３１】
前記裏機構ベース６１は、裏機構６０のボディＢへの取付部になる部分であり、前記ボディＢの裏側、ここでは裏機構配設用凹部Ｂｂにねじ部材等の適宜固定部材によって固定されている。実施例では、この裏機構ベース６１の中央よりやや前側に、前記ボディＢの開口部Ｂｃに対応する開口部６１ｏが形成され、該開口部６１ｏ内に前記トレモロブロック４０の先端部分が位置するようになっている。また、前記裏機構ベース６１の略中央部（前記開口部６１ｏの後側周縁）には第一軸受け部６２が、後部には第二軸受け部６３がそれぞれ設けられており、該第一軸受け部６２と第二軸受け部６３間にスライド軸部７０が架設されている。
【００３２】
また、実施例においては、前記裏機構ベース６１の前部には、第一スプリング９０の前端側を係止するための第一スプリング前側取付ブロック６４，６４が設けられている。さらに、実施例では、前記第一スプリング前側取付ブロック６４，６４は、請求項７の発明に規定したように、裏機構ベース６１に対して位置調節可能に取り付けられている。図示の例では、前記ブロック６４，６４は裏機構ベース６１の前端に突設されたブラケット６５のねじ孔に螺合する調節ねじ部材６６に螺着され、調節ねじ部材６６の操作によって、当該ブロック６４，６４の位置調節が可能となっている。このようにすれば、前記ブロック６４，６４の位置調節によって、第一スプリング９０，９０の付勢力を、使用する種々の弦ゲージにおける弦Ｓの張力に合わせることができる。さらに、前記裏機構ベース６１の第一軸受け部６２と第二軸受け部６３間には、可動ストッパー８０の前進（移動）を規制する位置決めストッパー７１，７１が配設されている。
【００３３】
前記スライド軸部７０には、前側にスライドブロック７５及び、その後側に可動ストッパー８０が摺動可能に装着されており、請求項２の発明に規定したように、それぞれ当該スライド軸部７０に沿って進退自在になっている。なお、図５，６中の符号７６はスライドブロック７５の軸孔、８３は可動ストッパー８０の軸孔である。実施例の前記スライドブロック７５には、請求項５の発明に規定したように、第一スプリング９０，９０の後端側を係止するための第一スプリング後側取付ブロック７７，７７が設けられていると共に、後述の連結リンク８５，８５と回動自在に係合するリンク取付部（図では球状のリンク取付部）７８，７８が設けられている。
【００３４】
前記可動ストッパー８０は、請求項３の発明に規定したように、スライドブロック７５の後面に（厳密に言えば後述の緩衝部材Ｍ１を介して）当接及び離間可能な前部８１と、前記位置決めストッパー７１，７１の後面に（厳密に言えば後述の緩衝部材Ｍ２，Ｍ２を介して）当接及び離間可能な後部８２，８２を有している。実施例の可動ストッパー８０は、図から分かるように、略Ｕ字形の前部８１の両端に二つの後部８２，８２が位置決めストッパー７１，７１に平行になるように突設された形状からなる。勿論、可動ストッパー８０の形状及びそれに対応する位置決めストッパー７１，７１の数は、上記のものに限定されない。
【００３５】
この実施例では、請求項８の発明に規定したように、前記スライドブロック７５と可動ストッパー８０の前部８１間にはゴム等からなる緩衝部材Ｍ１が介在されている。これによって、後述の如くスライドブロック７５と可動ストッパー８０の前部８１が接触する際の衝撃を緩衝部材Ｍ１により吸収することができ、接触騒音等の異音の発生を低減することができる。なお、図示の例では、前記緩衝部材Ｍ１は可動ストッパー８０の前部８１の前面に固着されている。勿論、前記緩衝部材Ｍ１をスライドブロック７５の後面に固着するようにしても良い。
【００３６】
また、この実施例においては、請求項９の発明に規定したように、前記可動ストッパー８０の後部８２，８２と位置決めストッパー７１，７１間にもゴム等からなる緩衝部材Ｍ２，Ｍ２が介在されており、後述の如く可動ストッパー８０の後部８２，８２と位置決めストッパー７１，７１が接触する際の衝撃を緩衝部材Ｍ２，Ｍ２により吸収することができ、接触騒音等の異音の発生を低減することができる。なお、図示の例では、前記緩衝部材Ｍ２，Ｍ２は位置決めストッパー７１，７１の後面に固着されている。勿論、前記緩衝部材Ｍ２，Ｍ２を可動ストッパー８０の後部８２，８２の後面に固着するようにしても良い。加えて、上記のスライドブロック７５と可動ストッパー８０の前部８１との接触、及び可動ストッパー８０の後部８２，８２と位置決めストッパー７１，７１との接触は、面接触となっており、しかもそれらの接触面積は比較的大きいため、それらの面圧力が低くなり、チューニングに影響が出るような緩衝部材Ｍ１，Ｍ２の変形が発生し難い。
【００３７】
連結リンク８５，８５は、前記トレモロブロック４０の先端側と前記スライドブロック７５とを連結し、トレモロブロック４０の回動（揺動）運動を直線運動に変換して、前記スライドブロック７５をスライド移動させるためのものである。実施例の連結リンク８５，８５は、前記トレモロブロック４０の先端両側のリンク取付部４１，４１にトレモロブロック側係合孔８６，８６を介して回動自在に係合していると共に、前記スライドブロック７５のリンク取付部７８，７８にスライドブロック側係合孔８７，８７を介して回動自在に係合している。なお、連結リンク８５，８５とトレモロブロック４０又はスライドブロック７５との連結に、図示の如くボールジョイント方式を採用するようにすれば、前記スタッドボルトＢｓ，Ｂｓによりトレモロ体１０の傾きを調整する際における、トレモロ体１０の前後左右の傾きに容易に対応することができる。
【００３８】
ここで、好ましくは、請求項６の発明に規定したように、前記トレモロブロック４０と連結リンク８５，８５の回動支点（ここではトレモロブロック４０のリンク取付部４１，４１）を、トレモロ体１０の揺動軸（ここではベースプレート１１を揺動自在に固定する二つのスタッドボルトＢｓ，Ｂｓを結ぶ線）の略直下に位置させるようにするのが良い。このようにすれば、トレモロ体１０の揺動を効率的にスライドブロック７５及び可動ストッパー８０のスライド移動に変換できる利点がある。
【００３９】
また、この実施例においては、請求項１０の発明に規定したように、前記連結リンク８５，８５は伸縮可能に構成されている。このように構成すれば、連結リンク８５，８５の伸縮により、トレモロ体１０（ベースプレート１１）の初期設定角度（トレモロ演奏しない時の角度）を調整することができ、また、前記スタッドボルトＢｓ，Ｂｓの傾きにも対応できる利点がある。なお、各連結リンク８５を伸縮自在に構成する一例としては、当該各連結リンク８５を、図示のようにターンバックル構造にすることが挙げられる。図示の例の連結リンク８５は、外周に外ネジが刻設されたリンク本体８５ａと、前記トレモロブロック側係合孔８６を有し前記リンク本体８５ａの外ネジに螺合する内ネジが刻設されたトレモロブロック側係合部８５ｂと、スライドブロック側係合孔８７を有し前記リンク本体８５ａの外ネジに螺合する内ネジが刻設されたスライドブロック側係合部８５ｃとで構成され、前記リンク本体８５ａをトレモロブロック側係合部８５ｂ及びスライドブロック側係合部８５ｃに対して回動及び進退させることによって、当該連結リンク８５の伸縮がなされるようになっている。勿論、各連結リンク８５を伸縮自在にする構造は、上記例示に限定されない。
【００４０】
第一スプリング９０，９０及び第二スプリング９５は、それらの付勢力（バネ力）とボディ表面Ｂａ側に張られた弦Ｓの張力とによって、前記トレモロ体１０（ベースプレート１１）の平衡状態（釣り合い状態）を保つためのもの、より詳しく言えば、トレモロ体１０の揺動に起因して移動したスライドブロック７５及び可動ストッパー８０を移動前の元の位置に復帰させるものである。実施例の第一スプリング９０，９０は、請求項５の発明に規定したように、前記裏機構ベース６１の前部に設けられた第一スプリング前側取付ブロック６４，６４と前記スライドブロック７５に設けられた第一スプリング後側取付ブロック７７，７７との間に張設されている。また、実施例の第二スプリング９５は、請求項４の発明に規定したように、前記可動ストッパー８０の前部８１と第二軸受け部６３との間に張設されている。なお、この実施例では、図示から分かるように前記第二スプリング９５は前記スライド軸部７０に外嵌されている。
【００４１】
ここで、前記第一スプリング９０，９０は、トレモロ体１０が平衡状態となる通常時に、自然長よりも伸びた状態で前記第一スプリング前側取付ブロック６４，６４と前記スライドブロック７５の第一スプリング後側取付ブロック７７，７７間に張設され、スライドブロック７５を前方（第一スプリング前側取付ブロック方向）に付勢するようになっている。一方、前記第二プリング９５は、トレモロ体１０が平衡状態となる通常時に、自然長よりも縮んだ状態で前記可動ストッパー８０の前部８１と第二軸受け部６３間に張設され、常に可動ストッパー８０を前方（スライドブロック方向）に付勢するようになっている。上の説明からも分かるように、当該トレモロ装置１では、第一スプリング９０，９０の付勢力と第二スプリング９５の付勢力は、同方向（前方）に向かって作用している。なお、前記第二軸受け部６３を裏機構ベース６１に対して位置調節可能に取り付け、該第二軸受け部６３の位置調節により第一スプリング９０，９０の付勢力を変化させるように構成しても良い。
【００４２】
上記構造のトレモロ装置１にあっては、前記アーム５０の非操作時には、ボディＢ表面側に張られた、弦Ｓの張力と、前記第一スプリング９０，９０及び第二スプリング９５の付勢力によって、スライドブロック７５が第一スライドブロック位置Ｐ１に位置すると共に、可動ストッパー８０が第一可動ストッパー位置Ｑ１に位置し、スライドブロック７５と可動ストッパー８０の前部８１と、及び可動ストッパー８０の後部８２，８２と位置決めストッパー７１，７１とがそれぞれ互いに当接し、それによって、トレモロ体１０が平衡状態となるようにしている。なお、弦Ｓが張られていないときには、スライドブロック７５は第一スプリング９０，９０の付勢力によって前記第一スライドブロック位置Ｐ１より前側に位置し、各弦Ｓを前記弦支持部材２０に固定してチューニング（調弦）していく際に、弦Ｓの張力と第一スプリング９０，９０の付勢力のバランスによりスライドブロック７５が徐々に後方（可動ストッパー８０側）へ移動するようになっている。
【００４３】
また、この実施例（６弦ギターの場合）では、チューニング後の全弦張力をＴ0とすると、第一スプリング９０，９０の合計の付勢力は〔５／６×Ｔ0−α〕相当値に設定されていると共に、第二スプリング９５の付勢力は〔１／６×Ｔ0＋β〕相当値に設定されている。なお、前記α及びβは、弦コードの変化による張力の差が生じず、かつチョーキング時やアームに手をそえた時等に弦張力が変化せず、しかもフラッターが起こらないような値とされる。さらに、β＞α＞０となるようにα，βは設定される。
【００４４】
加えて、この実施例においては、チューニング中に全弦張力が前記〔５／６×Ｔ0−α〕相当値に達すると、スライドブロック７５は前記第一スライドブロック位置Ｐ１に位置し、可動ストッパー８０の前部８１に当接するようになっている。また、前記第一スプリング９０，９０の付勢力と第二スプリング９５の付勢力の和は、〔５／６×Ｔ0−α〕＋〔１／６×Ｔ0＋β〕＝Ｔ0＋β−αとなり、請求項１１の発明に規定したように、チューニング後の全弦張力Ｔ0よりも大であるため、前記スライドブロック７５が可動ストッパー８０の前部８１に当接してから、さらにチューニングが完了するまで弦の張力を増しても、スライドブロック７５及び可動ストッパー８０は移動しない。
【００４５】
前述の如く第一スプリング９０，９０及び第二スプリング９５の付勢力を設定すれば、例えば、６本の弦のうち一本が切断したときには、残りの弦張力は約５／６×Ｔ0となるが、前記第一スプリング９０，９０の付勢力は〔５／６×Ｔ0−α〕であり、該付勢力よりも残りの弦張力の方が大きいので、前記スライドブロック７５は可動ストッパー８０の前部８１と当接する第一スライドブロック位置Ｐ１のままで移動しない。すなわち、６本の弦のうち一本が切断した場合でも、トレモロ体１０の平衡状態を維持することができ、残りの弦の調音状態を保つことができ、該残りの弦の音程が変わるのを防ぐことができる。
【００４６】
また、上記構造のトレモロ装置１においては、前記アーム５０をアームダウン、つまりボディ表面Ｂａ方向に押さえると、図７のように、トレモロ体１０（ベースプレート１１）は、前記スタッドボルトＢｓ，Ｂｓを支点として前方（ネックＮ方向）へ傾斜するように揺動する。これによって、各弦Ｓの張力が減少して、各弦の音程が下降（フラット）する。このとき、図７及び８から理解されるように、前記ベースプレート１１の裏側に突設されたトレモロブロック４０が後方へ（図では反時計回りへ）回動し、それに伴って連結リンク８５，８５を介してスライドブロック７５と可動ストッパー８０が、スライド軸部７０に沿って後方へスライド移動して、前記可動ストッパー８０の後部８２，８２が位置決めストッパー７１，７１から離間する。
【００４７】
前記アームダウン後、アーム５０に対する力が除かれる、つまり当該アーム５０の操作が解除されると、第一スプリング９０，９０及び第二スプリング９５の付勢力によって、スライドブロック７５及び可動ストッパー８０が当接しながら前方へスライド移動し、可動ストッパー８０の後部８２，８２が位置決めストッパー７１，７１に当接したときに前記移動が終わり、当該スライドブロック７５及び可動ストッパー８０が元の位置（第一スライドブロック位置，第一可動ストッパー位置）に戻って、トレモロ体１０は平衡状態に復元（復帰）する。
【００４８】
これに対して、前記アーム５０をアームアップ、つまりボディ表面Ｂａの反対方向に引くと、図９の如く、トレモロ体１０（ベースプレート１１）は、前記スタッドボルトＢｓ，Ｂｓを支点として後方（ネックＮの反対方向）へ傾斜するように揺動する。これによって、各弦Ｓの張力が増加して、各弦の音程が上昇（シャープ）する。このとき、図９及び１０から理解されるように、前記ベースプレート１１の裏側に突設されたトレモロブロック４０が前方へ（図では時計回りへ）回動し、それに伴って連結リンク８５，８５を介してスライドブロック７５のみが、スライド軸部７０に沿って前方へスライド移動して、該スライドブロック７５が可動ストッパー８０の前部８１から離間する。
【００４９】
ここで、トレモロ体１０の平衡状態時における全弦張力をＴ0、第一スプリング９０，９０の付勢力（初期設定値）をＵ1とすると、前記アームアップ（アーム操作）に必要な力は〔Ｔ0−Ｕ1〕となる。つまり、この構造のトレモロ装置１では、特開平１−９３７９３号に記載のトレモロ装置に比べて第一スプリング９０，９０の付勢力Ｕ1分小さい力で、アーム５０をアームアップ（音程上昇）することができる。
【００５０】
また、前記アームアップ後、アーム５０に対する力が除かれる、つまり当該アーム５０の操作が解除されると、各弦Ｓの張力によって、スライドブロック７５が後方へスライド移動し、該スライドブロック７５が可動ストッパー８０の前部８１に当接したときに止まり、元の位置（第一スライドブロック位置）に戻って、トレモロ体１０は平衡状態に復元（復帰）する。なお、請求項１１の発明に規定したように、前記第一スプリング９０，９０の付勢力を全弦張力よりも小さく設定することによって、前記アーム５０の操作解除後におけるスライドブロック７５の後方へのスライド移動（復帰移動）はスムーズに行われる。
【００５１】
このように、当該トレモロ装置１を備えた弦楽器（ここでは６弦ギター）においては、トレモロ操作後、常にトレモロ体１０は元の平衡状態に戻るため、従来の如くチューニング（調弦）が狂うといった不都合を解消することができる。また、前記トレモロ体１０が平衡状態へ復元する際、トレモロ体を復元させる復元機構を構成する部材間の接触に起因するノイズの発生は、前記緩衝部材Ｍ１，Ｍ２の作用によって抑えられている。さらには、当該トレモロ装置１においては、非トレモロ操作時には、スライド軸部７０、位置決めストッパー７１，７１、スライドブロック７５、可動ストッパー８０、連結リンク８５，８５、第一スプリング９０，９０、第二スプリング９５で構成される復元機構８０の復元作用によって、トレモロ体１０は常に平衡状態を保つようになっているため、チョーキングやフラッターや弦が切れたこと等に起因するチューニングの狂いを極力防ぐことができると共に、チューニングを簡単に行うことができる。
【００５２】
次に、図１１を用いて、本発明の他の実施例に係るトレモロ装置１Ａについて説明する。当該トレモロ装置１Ａは、先の実施例のトレモロ装置１と、一部を除き概ね同じ構成となっているので、以下の説明及び図において前記トレモロ装置１と同一部材については同一符号で示し、その説明は省略する。以下、この実施例のトレモロ装置１Ａの特徴的部分について述べる。
【００５３】
このトレモロ装置１Ａにおいては、請求項１２の発明に規定したように、裏機構６０Ａのスライドブロック７５と可動ストッパー８０間に係合及び係合解除可能な係合機構１００が設けられ、該係合機構１００によりスライドブロック７５と可動ストッパー８０とを係合させ、それによってスライドブロック７５の前方への移動を規制するように構成されている。前記係合機構１００は、図示の例では、スライドブロック７５に回動自在に取り付けられて先端側（自由端側）に屈曲片部１０２を有する略Ｌ字形の回動部材１０１と、可動ストッパー８０の前部８１に裏側（裏機構ベース６１の反対側）へ突設された突部１１０で構成されている。そして、図１１の（Ａ）及び（Ｂ）の如く、前記回動部材１０１先端側の屈曲片部１０２を前記突部１１０の後側に位置させ、両者を係合（当接）させることによって、スライドブロック７５の前方への移動を規制するようになっている。一方、同図の（Ａ）の鎖線で示すように、前記回動部材１０１を前側（図では反時計回り）に回動させ、該回動部材１０１と突部１１０の係合を解除することによって、スライドブロック７５は前方へ移動可能になっている。図示の符号１０３は前記回動部材１０１を回動自在にスライドブロック７５に取り付けるための軸部材、１０４は前記回動部材１０１の回動をスムーズにする等の目的で配されたゴム等からなる回動向上部材、１０５は前記回動部材１０１の回動操作を容易にするために回動部材１０１の先端側に設けられた操作用凸部である。なお、図示の係合機構１００では前記回動部材１０１をスライドブロック７５に、前記突部１１０を可動ストッパー８０に設けているが、これとは逆に、前記回動部材を可動ストッパーに、前記突部をスライドブロックに設けるようにしても良い。さらに、係合機構は上記例示の構成のものに限定されない。
【００５４】
上述の如く、スライドブロック７５の前方への移動を規制する係合機構１００を設けるようにすれば、係合機構１００によりスライドブロック７５の前方への移動を規制し、スライドブロック７５を前記第一スライドブロック位置に位置させた状態、すなわちトレモロ体１０を初期設定上の平衡状態にした状態で、各弦の張設及びチューニングを行うことができるので、一つの弦をチューニングするときに、チューニング済みの他の弦の音程が上下するのを防ぐことができ、当該弦の張設及びチューニング作業が容易となる。また、前記弦の張設，チューニング時に必要な力（弦に加える力）を少なくできると共に、弦の取り外しも簡単になる利点もある。
【００５５】
次いで、図１２及び１３を用いて、本発明のさらに他の実施例に係るトレモロ装置１Ｂについて説明する。当該トレモロ装置１Ｂは、先の実施例のトレモロ装置１，１Ａと、一部を除き概ね同じ構成となっているので、以下の説明及び図において前記トレモロ装置１，１Ａと同一部材については同一符号で示している。なお、図１２では、便宜のため、後述の第一スプリング及び第二スプリングを省略して図示している。以下、この実施例のトレモロ装置１Ｂの特徴的部分について述べる。
【００５６】
このトレモロ装置１Ｂの裏機構６０Ｂは、ボディＢの裏側に配設される裏機構ベース６１Ｂと、該裏機構ベース６１Ｂの後部に設けられた位置決めストッパー７１Ｂ，７１Ｂと、進退自在に構成されたスライドブロック７５Ｂと、該スライドブロック７５Ｂの後側に位置して進退自在に構成されると共に前記スライドブロック７５Ｂ及び位置決めストッパー７１Ｂ，７１Ｂに当接及び離間可能な可動ストッパー８０Ｂと、トレモロブロック４０とスライドブロック７５Ｂとを連結する連結リンク８５Ｂ，８５Ｂと、前記裏機構ベース６１Ｂの前部に設けられた第一スプリング前側取付ブロック６４，６４とスライドブロック７５Ｂに設けられた第一スプリング後側取付ブロック７７Ｂ，７７Ｂとの間に張設されてスライドブロック７５Ｂを前方に付勢する第一スプリング９０Ｂ，９０Ｂと、前記裏機構ベース６１Ｂの略中央部に立設された第二スプリング前側取付ブロック６８Ｂ，６８Ｂと可動ストッパー８０Ｂに設けられた第二スプリング後側取付ブロック８０ａ，８０ａとの間に張設されて可動ストッパー８０Ｂを前方に付勢する第二スプリング９５Ｂ，９５Ｂとを含んでいる。
【００５７】
この実施例では、位置決めストッパー７１Ｂ，７１Ｂは、互いに対向し、かつ平行となるように、裏機構ベース６１Ｂの後部に立設されている。また、図示の例では、該位置決めストッパー７１Ｂ、７１Ｂの前部にはスライドブロック７５Ｂの第一スプリング後側取付ブロック７７Ｂ，７７Ｂを挿通可能にする前側窓部７１ｘ，７１ｘが形成されていると共に、後部には可動ストッパー８０Ｂの第二スプリング後側取付ブロック８０ａ，８０ａを挿通可能にする後側窓部７１ｙ，７１ｙが形成されている。そして、前記前側窓部７１ｘ，７１ｘ又は後側窓部７１ｙ，７１ｙの前端周縁及び後端周縁に、スライドブロック７５Ｂの第一スプリング後側取付ブロック７７Ｂ，７７Ｂ又は可動ストッパー８０Ｂの第二スプリング後側取付ブロック８０ａ，８０ａが当接することによって、前記スライドブロック７５Ｂ又は可動ストッパー８０Ｂの進退が規制されるようになっている。
【００５８】
前記スライドブロック７５Ｂの第一スプリング後側取付ブロック７７Ｂ，７７Ｂは、連結リンク８５Ｂ，８５Ｂに係合するリンク取付部を兼ねている。また、この実施例では、前記スライドブロック７５Ｂの後面には可動ストッパー用軸部７９Ｂが突設され、該可動ストッパー用軸部７９Ｂに沿って前記可動ストッパー８０Ｂが進退自在になっている。さらに、前記スライドブロック７５Ｂの後面と可動ストッパー８０Ｂの前面間には、両者が接触する際の衝撃を吸収して接触騒音等の異音の発生を低減するため、ゴム等からなる緩衝部材Ｍ３が介在されている。なお、図示の例では、前記緩衝部材Ｍ３は前記スライドブロック７５Ｂの後面に固着されているが、前記緩衝部材Ｍ３を可動ストッパー８０Ｂの前面に固着するようにしても良い。
【００５９】
上記構成のトレモロ装置１Ｂは、先の実施例に係るトレモロ装置１，１Ａと同様に、トレモロ体１０に取り付けられるアーム５０の非操作時には、ボディ表面Ｂａ側に張られた弦Ｓの張力と、前記第一スプリング９０Ｂ，９０Ｂ及び第二スプリング９５Ｂ，９５Ｂの付勢力によって、スライドブロック７５Ｂと可動ストッパー８０Ｂと、及び可動ストッパー８０Ｂ（厳密に言えば、第二スプリング後側取付ブロック８０ａ，８０ａ）と位置決めストッパー７１Ｂ，７１Ｂ（厳密に言えば、後側窓部７１ｙ，７１ｙの前端周縁）とが互いに当接し、トレモロ体１０が平衡状態となる。
【００６０】
また、前記アーム５０の操作によりトレモロ体１０を前方へ傾斜するように揺動させた時には、トレモロブロック４０が後方へ回動し、それに伴って連結リンク８５Ｂ，８５Ｂを介してスライドブロック７５Ｂと可動ストッパー８０Ｂが後方へスライド移動して、該可動ストッパー８０Ｂ（厳密に言えば、第二スプリング後側取付ブロック８０ａ，８０ａ）が位置決めストッパー７１Ｂ，７１Ｂ（厳密に言えば、後側窓部７１ｙ，７１ｙの前端周縁）から離間し、一方、前記アーム５０の操作を解除した時には、第一スプリング９０Ｂ，９０Ｂ及び第二スプリング９５Ｂ，９５Ｂの付勢力によって、スライドブロック７５Ｂ及び可動ストッパー８０Ｂを、該可動ストッパー８０Ｂが位置決めストッパー７１Ｂ，７１Ｂに当接する元の位置に戻してトレモロ体１０を平衡状態に復元させるようになっている。
【００６１】
また、前記アーム５０の操作によりトレモロ体１０を後方へ傾斜するように揺動させた時には、トレモロブロック４０が前方へ回動し、それに伴って連結リンク８５Ｂ，８５Ｂを介してスライドブロック７５Ｂが前方へスライド移動して、該スライドブロック７５Ｂが可動ストッパー８０Ｂから離間し、一方、前記アーム５０の操作を解除した時には、弦Ｓの張力によって、スライドブロック７５Ｂを、可動ストッパー８０Ｂに当接する元の位置に戻してトレモロ体１０を平衡状態に復元させるようになっている。以上の説明から分かるように、上記トレモロ装置１Ｂは、先の実施例に係るトレモロ装置１，１Ａと概ね同じように作用（動作）し、該トレモロ装置１，１Ａと同様の効果が得られる。
【００６２】
なお、本発明は、上述した各実施例に限定されるものではなく、発明の趣旨を逸脱しない範囲において構成の一部を適宜に変更して実施することができる。例えば、上記各実施例においては、第一スプリング及び連結リンクはそれぞれ２つずつ設けられているが、これに限定されず、前記第一スプリング及び連結リンクを１つ或いは３つ以上等、適宜の数とすることができる。また、上記各実施例では、第二スプリングは１つ又は２つとされているが、該第二スプリングを３つ以上設けるようにしても良い。
【００６３】
また、上記各実施例では可動ストッパーの進退を規制する位置決めストッパーは、裏機構ベースに設けられているが、これに限らず、当該位置決めストッパーをボディ裏側に直接設けるようにしても良い。
【００６４】
また、上記各実施例では、６弦のギターに取り付けられるトレモロ装置について言及しているが、本発明はベースギター等、他の弦楽器に対しても適用することができる。
【００６５】
【発明の効果】
以上図示し説明したように、本発明に係る弦楽器用トレモロ装置によれば、トレモロ操作後、トレモロ体は、位置決めストッパー，スライドブロック，可動ストッパー，連結リンク，第一スプリング，第二スプリング等で構成される復元機構の働きによって、常に元の平衡状態に戻るため、トレモロ操作後におけるチューニングの狂いを最小限に抑えることができる。また、前記トレモロ体が常に平衡状態に保たれているため、トレモロ操作しない通常時において、チョーキングやフラッターや弦が切れたこと等に起因するチューニングの狂いも極力防ぐことができる。さらに、当該トレモロ装置においては、調整箇所が比較的少ないため、調整すべき箇所及び調整方法が使用者にわかり易く、チューニングが容易になる。
【００６６】
またさらに、当該トレモロ装置における復元機構では、トレモロ体の揺動時におけるトレモロブロックの回動運動を、連結リンクを介して直線運動に変換してスライドブロック及び可動ストッパーがスライド移動するように構成されているため、第一スプリングや第二スプリングが傾いたり、伸縮方向以外の方向へ変形したりするのを防ぐことができ、それらのスプリングの復元力に影響を及ぼすといった不都合を解消することができる。その結果、安定したトレモロ体の復元作用が期待できる。
【００６７】
特に、請求項２の発明のように、裏機構ベースに設けられた第一軸受け部及び第二軸受け部間にスライド軸部が架設され、該スライド軸部に沿ってスライドブロック及び可動ストッパーが進退自在に構成されれば、スライドブロック及び可動ストッパーの進退動作がスムーズとなり、ひいてはトレモロ体の揺動及び復元が円滑になる。また、前記裏機構ベースの第一軸受け部と第二軸受け部間に位置決めストッパーが設けられるようにすれば、裏機構をコンパクトにでき、設計上有利である。さらに、請求項３の発明の如く、可動ストッパーを、スライドブロックに当接及び離間可能な前部と、前記位置決めストッパーに当接及び離間可能な後部を有するもので構成するようにすれば、簡単かつコンパクトな構造で、可動ストッパーをスライドブロック及び位置決めストッパーに対して当接及び離間させることができる。
【００６８】
加えて、請求項４の発明のように、第二スプリングを可動ストッパーの前部と第二軸受け部との間に張設したり、請求項５の発明のように第一スプリングを裏機構ベースの前部に設けられた第一スプリング前側取付ブロックと前記スライドブロックに設けられた第一スプリング後側取付ブロックとの間に張設するようにすれば、各スプリングの取付構造を簡単かつコンパクトにできる利点がある。
【００６９】
また、請求項６の発明の如く、トレモロブロックと連結リンクの回動支点を、トレモロ体の揺動軸の略直下に位置させれば、前記トレモロブロックの回動を効率的にスライドブロック及び可動ストッパーのスライド移動に変換でき、より一層トレモロ体の復元作用のの安定化を図ることができる。
【００７０】
請求項７の発明のように、第一スプリングの前端側を取り付けるための第一スプリング前側取付ブロックを裏機構ベースに対して位置調節可能に取り付ければ、前記第一スプリング前側取付ブロックの位置調節によって、第一スプリングの付勢力を、使用する種々の弦ゲージにおける弦の張力に合わせることができるので、各演奏者の多様な好みに応ずることができる。
【００７１】
請求項８或いは９の発明のように、前記スライドブロックと可動ストッパーの間、又は前記可動ストッパーと位置決めストッパーの間に緩衝部材を介在させるようにすれば、前記トレモロ体が平衡状態へ復元する際の各部材同士の接触時における衝撃を前記緩衝部材により吸収することができ、接触騒音の発生を低減することができる。なお、本発明に係るトレモロ装置においては、上記スライドブロックと可動ストッパーとの接触、及び可動ストッパーと位置決めストッパーとの接触は面接触となり、しかもそれらの接触面積は比較的大きいため、それらの面圧力が低くなり、チューニングに影響が出るような緩衝部材の変形が発生し難い。
【００７２】
請求項１０の発明の如く、前記トレモロブロックとスライドブロックを連結する連結リンクを伸縮可能にすれば、該連結リンクの伸縮により、トレモロ操作しない際のトレモロ体の初期設定角度を調整することができ、各演奏者の多様な好みに応ずることができる。
【００７３】
請求項１１の発明のように、第一スプリングの付勢力と第二スプリングの付勢力の両方が弦の張力方向とは反対方向に作用するように構成すると共に、前記第一スプリングの付勢力を全弦張力よりも小さく、かつ第一スプリングの付勢力と第二スプリングの付勢力の和を全弦張力よりも大きくすれば、チューニングを行う際、前記スライドブロックが可動ストッパーの前部に当接してから、さらにチューニングが完了するまで弦の張力を増しても、スライドブロック及び可動ストッパーは移動せず、トレモロ体は平衡状態を保つため、当該チューニングを簡単かつ精度良く行うことができる。また、前記第一スプリングの付勢力が全弦張力よりも小さいことを理由に、トレモロ操作後におけるスライドブロックの復帰動作、ひいてはトレモロ体の平衡状態への復元動作がスムーズになる。
【００７４】
請求項１２の発明の如く、スライドブロックの前方への移動を規制する係合機構をスライドブロックと可動ストッパー間に設けるようにすれば、前記係合機構によりスライドブロックの前方への移動を規制し、トレモロ体を設計上の平衡状態に維持した状態で、各弦のチューニングを行うことができるので、チューニングを一層簡単かつ精度良く行うことができる。
【図面の簡単な説明】
【図１】本発明の一実施例に係る弦楽器用トレモロ装置を備えたエレクトリックギターの斜視図である。
【図２】同実施例の弦楽器用トレモロ装置及びその周辺を示す正面図である。
【図３】一部の部材を取り除いた弦楽器用トレモロ装置及びその周辺を示す断面図である。
【図４】同実施例の弦楽器用トレモロ装置の裏機構を示す裏面図である。
【図５】図３の５−５断面図である。
【図６】図４の６−６断面図である。
【図７】音程下降時における一部の部材を取り除いた弦楽器用トレモロ装置及びその周辺を示す断面図である。
【図８】音程下降時における弦楽器用トレモロ装置の裏機構を示す裏面図である。
【図９】音程上昇時における一部の部材を取り除いた弦楽器用トレモロ装置及びその周辺を示す断面図である。
【図１０】音程上昇時における弦楽器用トレモロ装置の裏機構を示す裏面図である。
【図１１】他の実施例に係る弦楽器用トレモロ装置の要部を示す図である。
【図１２】さらに他の実施例に係る一部の部材を取り除いた弦楽器用トレモロ装置及びその周辺を示す断面図である。
【図１３】同実施例の弦楽器用トレモロ装置の裏機構を示す裏面図である。
【図１４】従来の一般的な弦楽器における弦楽器用トレモロ装置及びその周辺を示す断面図である。
【符号の説明】
１  トレモロ装置
１０  トレモロ体
２０  弦支持部材
４０  トレモロブロック
５０  アーム
６０  裏機構
６１  裏機構ベース
６２  第一軸受け部
６３  第二軸受け部
６４  第一スプリング前側取付ブロック
７０  スライド軸部
７１  位置決めストッパー
７５  スライドブロック
７７  第一スプリング後側取付ブロック
８０  可動ストッパー
８１  可動ストッパーの前部
８２  可動ストッパーの後部
８５  連結リンク
９０  第一スプリング
９５  第二スプリング
１００  係合機構
Ｇ  弦楽器
Ｂ  ボディ
Ｓ  弦
Ｍ１，Ｍ２  緩衝部材
【図１】
0003655218.tif 000002
【図２】
0003655218.tif 000003
【図３】
0003655218.tif 000004
【図４】
0003655218.tif 000005
【図５】
0003655218.tif 000006
【図６】
0003655218.tif 000007
【図７】
0003655218.tif 000008
【図８】
0003655218.tif 000009
【図９】
0003655218.tif 000010
【図１０】
0003655218.tif 000011
【図１１】
0003655218.tif 000012
【図１２】
0003655218.tif 000013
【図１３】
0003655218.tif 000014
【図１４】
0003655218.tif 000015